(57)【要約】本発明の例示的一実施例において、コンピュータシステムが提供される。コンピュータシステムは、少なくとも部分的に内部を規定するコンピュータシャーシを含む。コンピュータシステムはモジュールをさらに含み、モジュールは、実質的にコンピュータシャーシ内部にある後退位置とシャーシ内部から少なくとも部分的に引出された延長位置との間を、コンピュータシャーシに対して挿入軸に沿って動くよう構成される。モジュールは、シャーシ内部で延在するよう構成されるハウジングを含む。ハウジングは、コンピュータシャーシに対して挿入軸に沿って動くよう構成される本体部分と本体部分に結合されたピボット部分とを含み、ピボット部分は、挿入軸に沿って実質的に位置合せされた後退位置と、挿入軸に対してある角度で配向された延長位置との間を軸中心に回転する。
2006520961.tif 000002
【特許請求の範囲】
【請求項１】
コンピュータシステムであって、
少なくとも部分的に内部を規定するコンピュータシャーシと、
実質的に前記コンピュータシャーシの前記内部にある後退位置と前記シャーシの前記内部から少なくとも部分的に引出された延長位置との間を、前記コンピュータシャーシに対して挿入軸に沿って動くよう構成されるモジュールとを含み、
前記モジュールは前記シャーシの前記内部で延在するよう構成されるハウジングを含み、
前記ハウジングは前記コンピュータシャーシに対して前記挿入軸に沿って動くよう構成される本体部分を有し、
前記ハウジングは、前記ハウジングの前記本体部分に結合されるピボット部分を有し、前記ピボット部分は、前記挿入軸に沿って実質的に位置合せされた後退位置と前記挿入軸に対してある角度で配向された延長位置との間を軸中心に回転する、コンピュータシステム。
【請求項２】
前記モジュールは、前記コンピュータシステムの少なくとも１つのＩ／Ｏコンポーネントを収容するためのＩ／Ｏモジュールである、請求項１に記載のコンピュータシステム。
【請求項３】
留具を追加的に含み、前記留具は、前記留具が係合されているとき前記後退位置に前記モジュールを固定するよう位置決めされ、前記モジュールは、前記留具が係合解除されているとき前記延長位置の方へ自由に引出される、請求項１に記載のコンピュータシステム。
【請求項４】
少なくとも１つの留具が係合されているとき、前記後退位置において前記ハウジングの前記ピボット部分を固定するよう位置決めされる、前記少なくとも１つの留具を追加的に含み、前記ピボット部分は、前記少なくとも１つの留具が係合解除されているとき、前記延長位置の方へ自由に軸中心に回転する、請求項１に記載のコンピュータシステム。
【請求項５】
前記モジュールの前記ハウジングの前記ピボット部分は、前記コンピュータシステムの少なくとも１つのＩ／Ｏコンポーネントを収容する、請求項１に記載のコンピュータシステム。
【請求項６】
電磁エネルギを少なくとも部分的に遮蔽するための、前記モジュールに結合される遮蔽部を追加的に含む、請求項１に記載のコンピュータシステム。
【請求項７】
前記モジュールまたは前記コンピュータシャーシに結合される少なくとも１つのガイドレールを追加的に含み、前記ガイドレールは、前記コンピュータシャーシに対して前記挿入軸に沿って前記モジュールを動かすことを容易にするよう構成される、請求項１に記載のコンピュータシステム。
【請求項８】
前記ピボット部分と前記本体部分との間の相対的な軸中心の回転運動が容易にされるよう、前記ハウジングの前記ピボット部分または前記ハウジングの前記本体部分に固定されるピボットピンを追加的に含む、請求項１に記載のコンピュータシステム。
【請求項９】
複数のカードは前記ハウジングの前記ピボット部分内に係合され、前記カードは、前記ピボット部分が前記延長位置の方へ動かされるとき、ともに軸中心に回転する、請求項１に記載のコンピュータシステム。
【請求項１０】
コンピュータシステムであって、
少なくとも部分的に内部を規定して前記内部に位置決めされるプロセッサアセンブリを有するコンピュータシャーシと、
前記プロセッサアセンブリに結合されるＩ／Ｏモジュールとを含み、前記Ｉ／Ｏモジュールは、実質的に前記コンピュータシャーシの前記内部にある、前記プロセッサアセンブリに近接した後退位置と、前記シャーシの前記内部から少なくとも部分的に引出された、前記プロセッサアセンブリから離れた延長位置との間を、前記コンピュータシャーシに対して挿入軸に沿って動くよう構成される、コンピュータシステム。
【請求項１１】
前記モジュールまたは前記コンピュータシャーシに結合される少なくとも１つのガイドレールを追加的に含み、前記ガイドレールは、前記コンピュータシャーシに対して前記挿入軸に沿って前記モジュールを動かすことを容易にするよう構成される、請求項１０に記載のコンピュータシステム。
【請求項１２】
留具を追加的に含み、前記留具は、前記留具が係合されているとき前記後退位置に前記Ｉ／Ｏモジュールを固定するよう位置決めされ、前記Ｉ／Ｏモジュールは、前記留具が係合解除されているとき前記延長位置の方へ自由に引出される、請求項１０に記載のコンピュータシステム。
【請求項１３】
前記Ｉ／Ｏモジュールは、前記コンピュータシャーシの前記内部で延在するよう構成されるハウジングを含み、前記ハウジングは、前記コンピュータシャーシに対して前記挿入軸に沿って動くよう構成される本体部分を含み、前記ハウジングはさらに、前記ハウジングの前記本体部分に結合されるピボット部分を含み、前記ピボット部分は、実質的に前記挿入軸に沿って位置合せされた後退位置と前記挿入軸に対してある角度で配向された延長位置との間を軸中心に回転する、請求項１０に記載のコンピュータシステム。
【請求項１４】
少なくとも１つの留具を追加的に含み、前記留具は、前記少なくとも１つの留具が係合されているとき前記後退位置に前記ハウジングの前記ピボット部分を固定するよう位置決めされ、前記ピボット部分は、前記少なくとも１つの留具が係合解除されているとき前記延長位置の方へ自由に軸中心に回転する、請求項１３に記載のコンピュータシステム。
【請求項１５】
前記ピボット部分は、前記コンピュータシステムの少なくとも１つのＩ／Ｏコンポーネントを収容する、請求項１０に記載のコンピュータシステム。
【請求項１６】
電磁エネルギを少なくとも部分的に遮蔽するための、前記Ｉ／Ｏモジュールに結合される遮蔽部を追加的に含む、請求項１０に記載のコンピュータシステム。
【請求項１７】
前記ピボット部分と前記本体部分との間の相対的な軸中心の回転運動が容易にされるよう、前記ハウジングの前記ピボット部分または前記ハウジングの前記本体部分に固定されるピボットピンを追加的に含む、請求項１３に記載のコンピュータシステム。
【請求項１８】
複数のカードは、前記ハウジングの前記ピボット部分内に係合され、前記カードは、前記ピボット部分が前記延長位置の方へ動かされるとき、ともに軸中心に回転する、請求項１３に記載のコンピュータシステム。
【請求項１９】
Ｉ／Ｏカードにアクセスする方法であって、
実質的にコンピュータシャーシ内部にある、プロセッサアセンブリに近接した後退位置から、コンピュータシャーシ内部から少なくとも部分的に引出された、プロセッサアセンブリから離れた延長位置まで、Ｉ／Ｏモジュールが接続されるプロセッサアセンブリに対してＩ／Ｏモジュールを摺動させるステップと、
Ｉ／ＯモジュールのＩ／Ｏカードにアクセスするステップとを含む、方法。
【請求項２０】
Ｉ／Ｏモジュールが延長位置の方へ自由に引出されるようにするために、Ｉ／Ｏモジュールとコンピュータシャーシとを結合する留具を係合解除するステップをさらに含む、請求項１９に記載の方法。
【請求項２１】
Ｉ／Ｏモジュールのピボット部分を、Ｉ／Ｏモジュールの挿入軸に実質的に位置合せされた後退位置から挿入軸に対してある角度で配向された延長位置の方へ、Ｉ／Ｏモジュールの本体部分に対して軸中心に回転させるステップをさらに含む、請求項１９に記載の方法。
【請求項２２】
ピボット部分が延長位置の方へ自由に軸中心に回転するようにするために、Ｉ／Ｏモジュールの本体部分とＩ／Ｏモジュールのピボット部分とを結合する留具を係合解除するステップをさらに含む、請求項２１に記載の方法。
【請求項２３】
前記摺動させるステップは、コンピュータシャーシに対する、Ｉ／Ｏモジュールの挿入軸に沿った、Ｉ／Ｏモジュールの摺動を容易にするために、ガイドレールレシーバに対してガイドレールを摺動させるステップを含む、請求項１９に記載の方法。
【請求項２４】
Ｉ／Ｏモジュールがコンピュータシャーシに対して摺動され得るように、電磁エネルギ遮蔽部をＩ／Ｏモジュールに対して動かすステップをさらに含む、請求項１９に記載の方法。
【請求項２５】
Ｉ／Ｏモジュール内部にアクセスする方法であって、
実質的にコンピュータシャーシ内部にある、モジュールが接続されるプロセッサアセンブリに近接した後退位置から、コンピュータシャーシから少なくとも部分的に引出された、プロセッサアセンブリから離れた延長位置まで、挿入軸に沿ってＩ／Ｏモジュールを摺動させるステップと、
Ｉ／Ｏモジュールのピボット部分を、挿入軸に実質的に位置合せされた後退位置から挿入軸に対してある角度で配向された延長位置まで、モジュールの本体部分に対して軸中心に回転させるステップとを含む、方法。
【発明の詳細な説明】
【技術分野】
【０００１】
発明の分野
本発明は、コンピュータシステムの部分にアクセスするための移動可能なモジュールに関し、より特定的には、コンピュータシステムのＰＣＩカードにアクセスするための、移動可能なＩ／Ｏモジュールに関する。
【背景技術】
【０００２】
発明の背景
コンピュータシステムの保守容易性においては、しばしば、コンピュータシステムの他の部分の動作を維持しながらあるシステムコンポーネントにアクセスし、取外すことに備えていることが望ましい。たとえば、コンピュータシステムのコンポーネントを修理し、交換し、アップグレードし、問題解決するために、あるコンポーネントの「素早い交換可能性」が望ましい。ネットワーク制御カードおよびディスク制御カードなどのＰＣＩ拡張カードを含むこのようなコンポーネントにアクセスし、Ｉ／Ｏシステムから取外すことができることが、特に望ましい。
【０００３】
ＰＣＩカードにアクセスする１つの方法は、カバーが取除かれたときにモジュールのＰＣＩカードにアクセスすることができるよう、コンピュータシステムカバーに隣接してＰＣＩモジュールを配置することである。不運にも、システムカバーに隣接してＰＣＩモジュールを配置するのは、多くの場合難しい。さらに、ＰＣＩモジュールがシステムカバーに隣接して位置決めされることができる場合でも、しばしば、システムカバーは、ＰＣＩカードの取外しに備えるほど十分に開くことができない。
【０００４】
たとえば、ラックマウント式コンピュータシステムにおいて、ＰＣＩモジュールがシステムの上面、底面、または側面に隣接して位置決めされる場合、ＰＣＩモジュールのＰＣＩカードにアクセスするために、典型的にはシステム全体がシャットダウンされる。
【０００５】
ある種のラックマウント式コンピュータシステムは、コンピュータシステムがドロワ上でラックに入って与えられ得るスライド式ドロワを備える。ＰＣＩモジュールなどのシステムの部分にアクセスするために、ドロワがアクセス可能な位置に引出される。そのようなシステムの１つの欠陥は、システム間に付加的な相互接続長さ(したがって付加的なフライトタイム)を必要とするということである。そのような構成においてはシステム全体がドロワに乗って引出され、また、ドロワが引出されると、コンピュータシステムの重量のために、ラックが不均衡になり得る。この種の構成に関する別の問題は、ドロワに装着されたコンピュータシステムをラックに装着された他のコンポーネントに接続するために、典型的には、長いケーブルの束が用いられることである。これらのケーブルは、しばしば望ましくないインピーダンスレベルに帰着し、かつ、ラック内でかなりの体積を占める。
【０００６】
そのため、ホストコンピュータシステムの動作を維持しながらアクセス可能であって、上記に詳述された欠陥を克服する、Ｉ／Ｏモジュールなどのモジュールを提供することが望ましいであろう。
【発明の開示】
【課題を解決するための手段】
【０００７】
発明の概要
本発明の例示的一実施例において、コンピュータシステムが提供される。コンピュータ
システムは、少なくとも部分的に内部を規定するコンピュータシャーシを含む。コンピュータシステムはモジュールをさらに含み、モジュールは、実質的にコンピュータシャーシ内部にある後退位置とシャーシ内部から少なくとも部分的に引出された延長位置との間を、コンピュータシャーシに対して挿入軸に沿って動くよう構成される。モジュールは、シャーシ内部で延在するよう構成されるハウジングを含む。ハウジングは、コンピュータシャーシに対して挿入軸に沿って動くよう構成される本体部分と本体部分に結合されたピボット部分とを含み、ピボット部分は、挿入軸に沿って実質的に位置合せされた後退位置と、挿入軸に対してある角度で配向された延長位置との間を軸中心に回転する。
【０００８】
本発明の別の例示的実施例において、コンピュータシステムが提供される。コンピュータシステムは、少なくとも部分的に内部を規定してその内部にプロセッサアセンブリが位置決めされる、コンピュータシャーシを含む。コンピュータシステムは、プロセッサアセンブリに結合されるＩ／Ｏモジュールをさらに含む。Ｉ／Ｏモジュールは、実質的にコンピュータシャーシ内部にある後退位置と、シャーシの内部から少なくとも部分的に引出された延長位置との間を、コンピュータシャーシに対して挿入軸に沿って動くよう構成される。
【０００９】
本発明のさらに別の例示的実施例においてＩ／ＯモジュールのＩ／Ｏカードにアクセスする方法が提供され、そこでＩ／Ｏモジュールは、コンピュータシャーシのプロセッサアセンブリに接続される。方法は、実質的にコンピュータシャーシ内部にある、プロセッサアセンブリに近接した後退位置から、コンピュータシャーシ内部から少なくとも部分的に引出された、プロセッサアセンブリから離れた延長位置まで、Ｉ／Ｏモジュールを摺動させるステップを含む。方法は、Ｉ／ＯモジュールのＩ／Ｏカードにアクセスするステップをさらに含む。
【００１０】
本発明のさらに別の例示的実施例において、Ｉ／Ｏモジュールの内部にアクセスする方法が提供され、そこでＩ／Ｏモジュールは、少なくとも部分的に内部を規定するコンピュータシャーシを有するコンピュータシステムのプロセッサアセンブリに接続される。方法は、実質的にコンピュータシャーシ内部にある、プロセッサアセンブリに近接した後退位置から、コンピュータシャーシ内部から少なくとも部分的に引出された、プロセッサアセンブリから離れた延長位置まで、Ｉ／Ｏモジュールを摺動させるステップを含む。方法は、実質的に挿入軸と位置合せされた後退位置から挿入軸に対してある角度で配向された延長位置まで、ハウジングのピボット部分を軸中心に回転させるステップをさらに含む。
【００１１】
本発明の例示的実施例が、図面を参照して説明される。
【発明を実施するための最良の形態】
【００１２】
発明の詳細な説明
本発明の選択された実施例の好ましい特徴が、ここに図面を参照して説明される。本発明の精神および範囲は、例示のために選択された実施例に限定されないことが理解される。さらに、図面はいかなる特定の縮尺または比率でも表わされないことに注意されるべきである。今後説明されるいかなる構成および材料も本発明の範囲の中で変更され得ることが理解される。
【００１３】
一般に図面を参照して、本発明の例示的一実施例による、コンピュータサーバシステム１００などのコンピュータシステムが提供される。コンピュータサーバシステム１００は、少なくとも部分的に内部を規定するコンピュータシャーシ１１０を含む。コンピュータサーバシステム１００はモジュール１２０をさらに含み、モジュール１２０は、実質的にコンピュータシャーシ１１０の内部にある後退位置とシャーシ１１０の内部から少なくとも部分的に引出された延長位置との間を、コンピュータシャーシ１１０に対して挿入軸に
沿って動くよう構成される。
【００１４】
モジュール１２０は、シャーシ１１０の内部に延在するよう構成されるハウジングを含む。ハウジングは、コンピュータシャーシ１１０に対して挿入軸に沿って動くよう構成される本体部分１２０Ａと本体部分１２０Ａに結合されるピボット部分１２０Ｂを含み、ピボット部分１２０Ｂは、挿入軸に沿って実質的に位置合せされた後退位置と挿入軸に対してある角度で配向された延長位置との間を軸中心に回転するよう構成される。
【００１５】
本発明の別の例示的実施例において、コンピュータサーバシステム１００が提供される。コンピュータサーバシステム１００は、少なくとも部分的に内部を規定してその内部にプロセッサアセンブリが位置決めされる、コンピュータシャーシ１１０を含む。コンピュータサーバシステム１００は、プロセッサアセンブリに結合されるＩ／Ｏモジュール１２０をさらに含む。Ｉ／Ｏモジュール１２０は、実質的にコンピュータシャーシ１１０の内部にある後退位置とコンピュータシャーシ１１０内部から少なくとも部分的に引出された延長位置との間を、コンピュータシャーシ１１０に対して挿入軸に沿って動くよう構成される。
【００１６】
本発明のさらに別の例示的実施例において、Ｉ／ＯモジュールのＩ／Ｏカードにアクセスする方法が提供され、そこでＩ／Ｏモジュールはコンピュータシャーシのプロセッサアセンブリに接続される。方法は、実質的にコンピュータシャーシ内部にある、プロセッサアセンブリに近接した後退位置から、コンピュータシャーシ内部から少なくとも部分的に引出された、プロセッサアセンブリから離れた延長位置まで、Ｉ／Ｏモジュールをプロセッサアセンブリに対して摺動させる、ステップ６００を含む。方法は、Ｉ／ＯモジュールのＩ／Ｏカードにアクセスするステップ６０４をさらに含む。
【００１７】
本発明のさらに別の例示的実施例において、Ｉ／Ｏモジュールの内部にアクセスする方法が提供され、Ｉ／Ｏモジュールは、少なくとも部分的に内部を規定するコンピュータシャーシを有するコンピュータサーバシステムのプロセッサアセンブリに接続される。方法は、実質的にコンピュータシャーシ内部にある、プロセッサアセンブリに近接した後退位置から、コンピュータシャーシ内部から少なくとも部分的に引出された、プロセッサアセンブリから離れた延長位置まで、モジュールを挿入軸に沿って摺動させる、ステップ６００を含む。方法は、モジュールのハウジングのピボット部分を、実質的に挿入軸と位置合せされた後退位置から挿入軸に対してある角度で配向された延長位置まで軸中心に回転させる、ステップ６０２をさらに含む。
【００１８】
モジュール（たとえばＩ／Ｏモジュール）をシステムの残りの部分に対して動き得るようにすることにより、最短の臨界バス（Ｉ／Ｏバス）が延長される。したがって、インピーダンスレベルおよびシステム容量は多大な影響を受けない。
【００１９】
具体的に図１を参照すると、コンピュータシステム１００が提供される。たとえば、コンピュータシステム１００は、ラックマウント式コンピュータサーバシステムで用いられるためのセルラーコンピュータモジュールである。コンピュータシステム１００は、コンピュータシステムのコンポーネント（たとえばプロセッサカード、メモリカードなど）を収容するためのシャーシ１１０を含む。コンピュータシステム１００は、Ｉ／Ｏモジュール１２０をさらに含む。図１に示される例示的実施例において、シャーシ１１０内に実質的に収容される、後退位置にあるＩ／Ｏモジュール１２０が示される。
【００２０】
Ｉ／Ｏモジュール１２０は、Ｉ／Ｏモジュール１２０内に収容されるコンポーネント（たとえばＰＣＩカード）を電磁的干渉から遮蔽するためのシールドカバー１２２を含む。Ｉ／Ｏモジュール１２０は留具１２４をさらに含む。コンピュータシステム１００がラッ
クに装着されると、Ｉ／Ｏモジュール１２０は、コンピュータシステム１００の動作中にＩ／Ｏモジュール１２０にアクセス可能なように、ラックの前部または後部のいずれかに望ましくは位置決めされる。Ｉ／Ｏモジュール１２０内に収容されるコンポーネント（たとえばＰＣＩカード）にアクセスするためには、Ｉ／Ｏモジュール１２０は少なくとも部分的にシャーシ１１０から引出される（すなわち、Ｉ／Ｏモジュール１２０は、図１に示される後退位置から図２に示される延長位置まで、挿入軸に沿って動かされる）。
【００２１】
留具１２４は、Ｉ／Ｏモジュール１２０を後退位置に固定する。このため、Ｉ／Ｏモジュール１２０を後退位置から延長位置に動かすためには、留具１２４が係合解除される。留具１２４は、Ｉ／Ｏモジュール１２０とシャーシ１１０などの２つのコンポーネントを固定するのに有用な多くの留具（たとえば、ねじ、ボルト、ラッチ、クリップなど）のいずれでもよい。留具１２４が係合解除される前または後に、シールドカバー１２２もまた取除かれ得る（または開いた位置まで軸中心に回転される）。
【００２２】
図２は、コンピュータシステム１００の別の斜視図である。コンピュータシステム１００は、シャーシ１１０およびＩ／Ｏモジュール１２０を含む。図２に示される図では、シールドカバー１２２は取除かれている。さらに、Ｉ／Ｏモジュール１２０は、図１に示された後退位置から、Ｉ／Ｏモジュール１２０がシャーシ１１０から少なくとも部分的に引出された延長位置まで動かされている。あるＩ／Ｏコンポーネントはこの延長位置においてアクセスされることができ、Ｉ／Ｏモジュール１２０から取外され得る。この延長位置または引出された位置において、Ｉ／Ｏモジュール１２０内に収容されたコンポーネントは依然として動作中であってコンピュータシステムの残りの部分に接続されており、残りの部分もまた、Ｉ／Ｏモジュール１２０が延長位置と後退位置との間を動かされる間、依然として動作中である。
【００２３】
たとえば、Ｉ／Ｏモジュール１２０は、フレックス回路（フレキシブル回路またはフレキシブル回路基板としても知られる）を用いて、コンピュータシステムの残りの部分（特にプロセッサアセンブリ）に接続され得る。フレックス回路は、コンピュータシステム１００の動作を維持する一方で、Ｉ／Ｏモジュール１２０が後退位置から延長位置まで動くことを容易にする。フレキシブル回路相互接続は、シャーシ１１０内で占める体積が小さく、実質的に均一なインピーダンスを有するコンピュータシステムの残りの部分とＩ／Ｏモジュール１２０との間に導電性の経路を与える。Ｉ／Ｏモジュールとコンピュータシステムの残りの部分との間の接続に関するさらなる詳細は、図７から図９までを参照して与えられる。
【００２４】
図２は、Ｉ／Ｏモジュール１２０の側壁に結合されるガイドレール１２８を示す。図２では見えないが、別のガイドレール１２８が、Ｉ／Ｏモジュール１２０の反対側の側壁に位置決めされる。ガイドレール１２８は、シャーシ１１０内に装着されるそれぞれのガイドレールレシーバ（図２では見えない）と合致する。ガイドレール１２８がガイドレールレシーバに対して摺動されると、Ｉ／Ｏモジュール１２０がその延長位置と後退位置との間を動かされる。Ｉ／Ｏモジュール１２０は、この延長位置と後退位置との間を動く間、挿入軸（すなわち、Ｉ／Ｏモジュール１２０がシャーシ１１０に挿入されそこから引出されるときに沿う軸）に沿って動かされる。
【００２５】
Ｉ／Ｏモジュール１２０のあるコンポーネントは延長位置においてアクセス可能であり得るが、Ｉ／Ｏモジュール１２０内の他のコンポーネントは延長位置においてアクセス可能ではない。たとえば、Ｉ／Ｏモジュール１２０内のあるコンポーネントは大きすぎて、Ｉ／Ｏモジュール１２０が図２に示される延長位置にあるときに与えられる開口部を通して取外され得ないことがあり得る。
【００２６】
このようなコンポーネントにアクセスを与えるために、Ｉ／Ｏモジュール１２０は、たとえばＩ／ＯカードなどのＩ／Ｏコンポーネントを収容するためのハウジングを備える。ハウジングは、本体部分と、延長位置の方へ軸中心に回転され得るピボット部分とを含み、それにより、Ｉ／Ｏモジュール１２０内のコンポーネントにアクセスするためのより大きな開口部を与える。図３を参照してさらに明らかに説明されるように、ピボットピン１３２および対応するピボットスロット１３０が与えられ、Ｉ／Ｏモジュール１２０のピボット部分の、Ｉ／Ｏモジュール１２０の本体部分に対する軸中心の回転を容易にする。図２は１つのピボットピン１３２および１つの対応するピボットスロット１３０を示すのみであるが、Ｉ／Ｏモジュール１２０は、その反対側（図２では見えない）に、第２のピボットピン１３２および対応するピボットスロット１３０を望ましくは含み得る。さらに、ピボットピン１３２がピボット部分上に示され、スロットが本体部分に形成されているが、ピボットピン１３２は本体部分に与えられることができ、スロットがピボット部分に形成され得る。さらに、ピボット部分の本体部分に対する軸中心の回転運動を容易にするために、他の等価的な手段が与えられ得ることが理解される。
【００２７】
図２で、留具１２６がさらに示される。別の留具１２６がＩ／Ｏモジュール１２０（図２では見えない）の反対側にさらに与えられ得る。留具１２６が係合位置にあるとき、Ｉ／Ｏモジュール１２０のピボット部分はＩ／Ｏモジュール１２０の残りの部分に対して軸中心に回転され得ない。したがって、ピボット部分を軸中心に回転させるためには、留具１２６は係合解除されなければならない。留具１２６は、Ｉ／Ｏモジュール１２０のピボット部分をＩ／Ｏモジュール１２０の非ピボット部分に固定させるのに有益な多くの留具のいずれでもよい（たとえば、ねじ、ボルト、クリップ、ラッチなど）。
【００２８】
再び図３を参照すると、Ｉ／Ｏモジュール１２０は、本体部分１２０Ａ、ピボット部分１２０Ｂ、および内部領域１２０Ｃを有するハウジングを含む。上述のように、Ｉ／Ｏモジュール１２０を、その後退位置（図１に示される）から延長位置（図２および図３に示される）に動かすために、シャーシ１１０内に収容されるガイドレールレシーバに連動して、ガイドレール１２８が用いられる。留具１２６は、この延長位置にあるときに係合解除されることができ、それにより、ピボット部分１２０Ｂが本体部分１２０Ａに対してある角度で軸中心に回転することを可能にする。ピボット部分１２０Ｂの軸中心の回転運動は、ピボットピン１３２および対応するピボットスロット１３０によって部分的に容易にされる。図３に示されるように、ピボットピン１３２は、ピボットスロット１３０内で、その運動範囲の最下部まで摺動している。これは、図２の後退位置において示される、ピボットスロット１３０内でその運動範囲の最上部にあるピボットピン１３２の位置とは対照的である。
【００２９】
このように、ピボット部分１２０Ｂは、それがＩ／Ｏモジュール１２０の挿入軸と実質的に位置合せされた後退位置と、ピボット部分が挿入軸に対してある角度で配向された延長位置との間を動かされ得る。図３に示されるように、ピボット部分１２０Ｂが挿入軸に対してある角度で下方向に軸中心に回転されると、Ｉ／Ｏモジュール１２０の内部領域１２０Ｃによりいっそうのアクセスが与えられる。このように、Ｉ／Ｏモジュール１２０内に、またはそれに隣接して収容されるコンポーネントに、より大きなアクセス可能性および保守容易性が与えられる。
【００３０】
図４は、シャーシ１１０から取外されたＩ／Ｏモジュール１２０の斜視図である。この図において、ピボット部分１２０Ｂは本体部分１２０Ａに対して後退位置にあり、そのため、ピボットピン１３２はピボットスロット１３０内でその運動範囲の最上部にある。図４に示される例示的実施例において、ガイドレール１２８は、実質的にＩ／Ｏモジュール１２０の長さ全体に延在する。このように、Ｉ／Ｏモジュールは、図２に示される延長位置にあるときには、その長さほぼ全体分がシャーシ１１０から引出され得る。
【００３１】
ピボット部分１２０Ｂの後部の方に与えられる、傾斜した縁面１２１は、ピボット部分１２０Ｂの本体部分１２０Ａに対する軸中心の回転運動を可能にする。図３の軸中心に回転した位置に示されるように、縁面１２１は、ピボット部分１２０Ｂの後部の運動のためのクリアランスを与える。縁面１２１はまた、本体部分１２０Ａの合致面に当接し、延長位置にあるときに追加的支持を与える。
【００３２】
ピボット部分１２０Ｂの軸中心の回転運動は、ピボットピン１３２およびピボットスロット１３０を通じてのみならず、ピボットピン１３２Ａの使用を通じてもまた容易にされる。ピボットピン１３２はピボットスロット内で動けるが、ピボットピン１３２Ａは、動けないよう固定される。ピボットピン１３２Ａは、本体部分１２０Ａをピボット部分１２０Ｂに固定する。このように、ピボット部分１２０Ｂは、図３に示される軸中心の回転位置にあるときは、依然ピボットピン１３２Ａによって本体部分１２０Ａに接続される。換言すると、Ｉ／Ｏモジュール１２０の各側面のピボットピン１３２Ａは、ともに、ピボット部分１２０Ｂが本体部分１２０Ａに対して軸中心にそのまわりを回転するピボット軸を規定する。
【００３３】
図５はシャーシ１１０の斜視図である。この図において、Ｉ／Ｏモジュール１２０はシャーシ１１０から完全に引出され、それにより、ガイドレールレシーバ１２８Ａの１つを露出する。上述のように、Ｉ／Ｏモジュール１２０がシャーシ１１０に挿入されると、ガイドレール１２８はガイドレールレシーバ１２８Ａ内で摺動可能に係合され、それにより、延長位置（図２および図３に示される）と後退位置（図１に示される）との間をＩ／Ｏモジュール１２０が動くことを容易にする。
【００３４】
図６は、Ｉ／ＯモジュールのＩ／ＯカードなどのＩ／Ｏコンポーネントにアクセスするための方法を示す。ステップ６００において、Ｉ／Ｏモジュールは、プロセッサアセンブリ（コンピュータシャーシに収容される）に対する後退位置から、そのプロセッサアセンブリに対する延長位置まで摺動される。Ｉ／Ｏモジュールは、後退位置において、実質的にコンピュータシャーシの内部にある。Ｉ／Ｏモジュールは、延長位置において、少なくとも部分的にコンピュータシャーシ内部から引出される。アクセスが所望されるＩ／Ｏコンポーネントが、Ｉ／Ｏモジュールが延長位置（図２）にあるときにアクセス可能であれば、コンポーネントはアクセスされ得る（たとえば、Ｉ／Ｏモジュールから取外され得る）。
【００３５】
コンポーネントは、Ｉ／Ｏモジュールが延長位置（図２）にあるときにアクセス可能ではないこともあり得る。すなわち、コンポーネントが大き過ぎるか、または長過ぎて、モジュールに生成された開口部を通しては取外され得ないからである。その場合、ステップ６０２において、Ｉ／Ｏモジュールのハウジングのピボット部分は、Ｉ／Ｏモジュールのハウジングの本体部分に対して、ピボット部分がＩ／Ｏモジュールの挿入軸と実質的に位置合せされた後退位置から、ピボット部分が挿入軸に対してある角度で配向された延長位置まで、軸中心に回転される。ピボット部分が延長位置まで動かされた後（さらにアクセス開口部がさらに拡大された後）、ステップ６０４において、Ｉ／Ｏモジュールのコンポーネント（たとえばＰＣＩカード）がアクセスされる（たとえば取外される）。
【００３６】
要約すると、本発明の例示的一実施例によれば、シャーシ１１０を含むコンピュータシステム１００が提供される。Ｉ／Ｏモジュール１２０は、実質的にシャーシ１１０内にある後退位置に与えられる。電磁的妨害に対して遮蔽するシールドカバー１２２はＩ／Ｏモジュール１２０から取除かれる。留具１２４は係合解除され、Ｉ／Ｏモジュール１２０は、ガイドレールレシーバ１２８Ａに沿ってガイドレール１２８を摺動させることにより、後退位置から延長位置まで引出される。留具１２６が係合解除され、ピボット部分１２０
Ｂは、Ｉ／Ｏモジュール１２０の挿入軸と実質的に位置合せされた後退位置から、ピボット部分１２０Ｂが本体部分１２０Ａに対してある角度で配向された延長位置まで、軸中心に回転される。次に、Ｉ／Ｏモジュール１２０内に収容されるＩ／Ｏコンポーネントが、交換、修理、アップグレード、または問題解決など、他のあらゆる理由のためにアクセスされ得る。
【００３７】
このようなＩ／Ｏモジュール１２０の摺動および軸中心の回転運動は、コンピュータシステム１００の動作を妨害することなく、Ｉ／Ｏモジュール１２０内に収容されるコンポーネントにアクセスを与える。本発明によれば、コンピュータシステム全体がラックから引出されるドロワ型システムとは異なり、Ｉ／Ｏモジュール１２０のみがコンピュータシステムの残りの部分に対して動かされる。このように、他のシステムコンポーネントと間の相互接続が固定され、そのため、他のシステムコンポーネントと間の相互接続長さが可能な限り最小の長さまで低減される。さらに、Ｉ／Ｏモジュール１２０の重量がコンピュータシステム全体の重量よりも著しく少ないために、伝統的なドロワ型システムとは反対に、Ｉ／Ｏモジュール１２０がその延長位置に持ち込まれても、コンピュータラックが不安定な状態になる可能性は極めて低い。
【００３８】
Ｉ／Ｏモジュール１２０の摺動する動作が、主にガイドレール１２８およびガイドレールレシーバ１２８Ａの使用を通して説明されたが、Ｉ／Ｏモジュール１２０の運動はそれに限定されない。コンピュータシステム１００内に収容されるＩ／Ｏモジュール１２０とプロセッサアセンブリとの間の運動（摺動または他の運動による）を容易にするいかなる構成の要素も利用され得る。
【００３９】
ピボット部分１２０Ｂの軸中心の回転運動が、主にピボットピン１３２および１３２Ａ、ならびにピボットスロット１３０を参照することにより説明されたが、この軸中心の回転運動はそれに限定されない。本体部分１２０Ａとピボット部分１２０Ｂとの間のいかなる軸中心の回転結合または他の結合でも利用され得る。
【００４０】
コンピュータシステム１００に含まれるＩ／Ｏモジュール１２０およびプロセッサアセンブリの相互接続が、主にフレックス回路を参照して説明されたが、この相互接続はそれに限定されない。Ｉ／Ｏモジュール１２０とプロセッサアセンブリとの間に相互接続を与えるために、いかなる導電性相互接続（束ねられたケーブル、同軸ケーブルなど）が用いられてもよい。
【００４１】
さらに、本発明は、コンピュータサーバシステムのコンテキストで説明されたが、いかなる種類のシステムで用いられてもよく、サーバに限定されないことが理解される。たとえば、本発明は、パーソナルコンピュータ、メインフレームコンピュータ、および他の種類のコンピュータシステムにおいても有益に用いられ得る。
【００４２】
ここで図７を参照すると、冷却源を有するコンピュータシステム１００が、相互接続アセンブリが取外された状態で示される。コンピュータシステム１００は、内部４０３を規定するシャーシ１１０を含む。複数の回路アセンブリがシャーシ１１０の内部４０３内に収容され得る。具体的には、図７に示される実施例において、シャーシ１１０は、プロセッサ回路アセンブリ４０６Ａおよびメモリ回路アセンブリ４０６Ｂを収容するよう寸法決めされる。
【００４３】
図７に示されるように、回路アセンブリ４０６Ａおよび４０６Ｂは、紙面にに直交する挿入軸Ａｉに沿って、シャーシ１１０の内部に挿入される。次に、各回路アセンブリ４０６Ａおよび４０６Ｂを接続軸Ａｃに沿って（図７における右方向へ）動かすことによって、回路アセンブリ４０６Ａおよび４０６Ｂが相互接続アセンブリ（図７には示されない）
に接続される。
【００４４】
ここで図８を参照すると、プロセッサ回路アセンブリ４０６Ａは、挿入軸Ａｉに沿ってシャーシ１１０のプロセッサ領域に部分的に挿入された状態で示される。プロセッサ回路アセンブリ４０６Ａが、挿入軸Ａｉに沿ってシャーシ１１０の内部４０３に完全に挿入されると、プロセッサ回路アセンブリ４０６Ａは、接続軸Ａｃに沿って相互接続アセンブリ（図８には示されない）に接続される。プロセッサ回路アセンブリ４０６Ａの例示的一実施例を示す図９を参照すると、プロセッサ回路アセンブリ４０６Ａは、接続軸Ａｃに沿って接続されるよう配向されるインターフェイスコネクタ４２４を含む。プロセッサ回路アセンブリ４０６Ａは、挿入軸Ａｉに沿ってシャーシ１１０内の合致コネクタに接続するよう配向される、Ｉ／Ｏコネクタ４２６をさらに含む。
【００４５】
Ｉ／Ｏモジュール１２０は、プロセッサ回路アセンブリ４０６Ａに対するＩ／Ｏモジュール１２０の運動を可能にする接続システムを用いて、プロセッサ回路アセンブリ４０６Ａなどのプロセッサアセンブリに接続される。したがって、Ｉ／Ｏモジュールとプロセッサ回路アセンブリ４０６Ａとの間のこのような相対的な運動を可能にするための、柔軟な接続が望ましい。より具体的には、上述のように、プロセッサ回路アセンブリ４０６ＡのＩ／Ｏコネクタ４２６とＩ／Ｏモジュールのコネクタとの間に柔軟な接続が与えられ得る。移動可能なモジュールと回路アセンブリとの間の例示的な接続のさらなる詳細は、同時係属の米国出願連続番号ｘｘ／ｘｘｘ，ｘｘｘ号（代理人参照番号ＴＮ２９８）に説明され、それが引用により援用される。
【００４６】
本発明のさまざまな例示的実施例の上述の説明を通して示されたように、示される実施例には、多くの変形がなされ得る。添付の請求項において別個に規定される本発明の範囲を逸脱することなく、説明される実施例に対し、他の変形がなされ得ることが理解されよう。
【図面の簡単な説明】
【００４７】
【図１】本発明の例示的一実施例による、後退位置にあるＩ／Ｏモジュールを含むコンピュータシステムの斜視図である。
【図２】Ｉ／Ｏモジュールが延長位置にある、図１に示されるコンピュータシステムの斜視図である。
【図３】本発明の例示的一実施例による、Ｉ／Ｏモジュールが延長位置および回転位置にある、図１および図２に示されるコンピュータシステムの斜視図である。
【図４】本発明の例示的一実施例による、Ｉ／Ｏモジュールのコンポーネントの斜視図である。
【図５】本発明の例示的一実施例による、Ｉ／Ｏモジュールを受取るためのシャーシの斜視図である。
【図６】本発明の例示的一実施例による、Ｉ／ＯモジュールのＩ／Ｏカードにアクセスするための方法を示すフロー図である。
【図７】図１に示されるコンピュータシステムの背面図である。
【図８】図示する目的のために部分的にプロセッサアセンブリが取除かれた、図１に示されるコンピュータシステムの背面斜視図である。
【図９】図１に示されるコンピュータシステムに用いるよう構成される、プロセッサアセンブリの例示的一実施例の平面図である。
【図１】
2006520961.tif 000003
【図２】
2006520961.tif 000004
【図３】
2006520961.tif 000005
【図４】
2006520961.tif 000006
【図５】
2006520961.tif 000007
【図６】
2006520961.tif 000008
【図７】
2006520961.tif 000009
【図８】
2006520961.tif 000010
【図９】
2006520961.tif 000011
【手続補正書】
【提出日】平成17年11月18日(2005.11.18)
【手続補正１】
【補正対象書類名】特許請求の範囲
【補正対象項目名】全文
【補正方法】変更
【補正の内容】
【特許請求の範囲】
【請求項１】
コンピュータシステムであって、
少なくとも部分的に内部を規定するコンピュータシャーシと、
実質的に前記コンピュータシャーシの前記内部にある後退位置と前記シャーシの前記内部から少なくとも部分的に引出された延長位置との間を、前記コンピュータシャーシに対して挿入軸に沿って動くよう構成されるモジュールとを含み、
前記モジュールは前記シャーシの前記内部で延在するよう構成されるハウジングを含み、
前記ハウジングは前記コンピュータシャーシに対して前記挿入軸に沿って動くよう構成される本体部分を有し、
前記ハウジングは、前記ハウジングの前記本体部分に結合されるピボット部分を有し、前記ピボット部分は、前記挿入軸に沿って実質的に位置合せされた後退位置と前記挿入軸に対してある角度で配向された延長位置との間を軸中心に回転し、
複数のカードは前記ハウジングの前記ピボット部分内に係合され、前記カードは、前記ピボット部分が前記延長位置の方へ動くとき、ともに軸中心に回転する、コンピュータシステム。
【請求項２】
前記モジュールは、前記コンピュータシステムの少なくとも１つのＩ／Ｏコンポーネントを収容するためのＩ／Ｏモジュールである、請求項１に記載のコンピュータシステム。
【請求項３】
留具を追加的に含み、前記留具は、前記留具が係合されているとき前記後退位置に前記モジュールを固定するよう位置決めされ、前記モジュールは、前記留具が係合解除されているとき前記延長位置の方へ自由に引出される、請求項１に記載のコンピュータシステム。
【請求項４】
少なくとも１つの留具が係合されているとき、前記後退位置に前記ハウジングの前記ピボット部分を固定するよう位置決めされる、前記少なくとも１つの留具を追加的に含み、前記ピボット部分は、前記少なくとも１つの留具が係合解除されているとき、前記延長位置の方へ自由に軸中心に回転する、請求項１に記載のコンピュータシステム。
【請求項５】
前記モジュールの前記ハウジングの前記ピボット部分は、前記コンピュータシステムの少なくとも１つのＩ／Ｏコンポーネントを収容する、請求項１に記載のコンピュータシステム。
【請求項６】
電磁エネルギを少なくとも部分的に遮蔽するための、前記モジュールに結合される遮蔽部を追加的に含む、請求項１に記載のコンピュータシステム。
【請求項７】
前記モジュールまたは前記コンピュータシャーシに結合される少なくとも１つのガイドレールを追加的に含み、前記ガイドレールは、前記コンピュータシャーシに対して前記挿入軸に沿って前記モジュールを動かすことを容易にするよう構成される、請求項１に記載のコンピュータシステム。
【請求項８】
前記ピボット部分と前記本体部分との間の相対的な軸中心の回転運動が容易にされるよう、前記ハウジングの前記ピボット部分または前記ハウジングの前記本体部分に固定されるピボットピンを追加的に含む、請求項１に記載のコンピュータシステム。
【請求項９】
コンピュータシステムであって、
少なくとも部分的に内部を規定して前記内部に位置決めされるプロセッサアセンブリを有するコンピュータシャーシと、
前記プロセッサアセンブリに結合されるＩ／Ｏモジュールとを含み、前記Ｉ／Ｏモジュールは、実質的に前記コンピュータシャーシの前記内部にある、前記プロセッサアセンブリに近接した後退位置と、前記シャーシの前記内部から少なくとも部分的に引出された、前記プロセッサアセンブリから離れた延長位置との間を、前記コンピュータシャーシに対して挿入軸に沿って動くよう構成され、
前記Ｉ／Ｏモジュールは、前記コンピュータシャーシの前記内部で延在するよう構成されるハウジングを含み、前記ハウジングは、前記コンピュータシャーシに対して前記挿入軸に沿って動くよう構成される本体部分を含み、前記ハウジングはさらに、前記ハウジングの前記本体部分に結合されるピボット部分を含み、前記ピボット部分は、実質的に前記挿入軸に沿って位置合せされた後退位置と前記挿入軸に対してある角度で配向された延長位置との間を軸中心に回転し、
複数のカードは前記ハウジングの前記ピボット部分内に係合され、前記カードは、前記ピボット部分が前記延長位置の方へ動かされるとき、ともに軸中心に回転する、コンピュータシステム。
【請求項１０】
前記モジュールまたは前記コンピュータシャーシに結合される少なくとも１つのガイドレールを追加的に含み、前記ガイドレールは、前記コンピュータシャーシに対して前記挿入軸に沿って前記モジュールを動かすことを容易にするよう構成される、請求項９に記載のコンピュータシステム。
【請求項１１】
留具を追加的に含み、前記留具は、前記留具が係合されているとき前記後退位置に前記Ｉ／Ｏモジュールを固定するよう位置決めされ、前記Ｉ／Ｏモジュールは、前記留具が係合解除されているとき前記延長位置の方へ自由に引出される、請求項９に記載のコンピュータシステム。
【請求項１２】
少なくとも１つの留具を追加的に含み、前記留具は、前記少なくとも１つの留具が係合されているとき前記後退位置に前記ハウジングの前記ピボット部分を固定するよう位置決めされ、前記ピボット部分は、前記少なくとも１つの留具が係合解除されているとき前記延長位置の方へ自由に軸中心に回転する、請求項９に記載のコンピュータシステム。
【請求項１３】
前記ピボット部分は、前記コンピュータシステムの少なくとも１つのＩ／Ｏコンポーネントを収容する、請求項９に記載のコンピュータシステム。
【請求項１４】
電磁エネルギを少なくとも部分的に遮蔽するための、前記Ｉ／Ｏモジュールに結合される遮蔽部を追加的に含む、請求項９に記載のコンピュータシステム。
【請求項１５】
前記ピボット部分と前記本体部分との間の相対的な軸中心の回転運動が容易にされるよう、前記ハウジングの前記ピボット部分または前記ハウジングの前記本体部分に固定されるピボットピンを追加的に含む、請求項９に記載のコンピュータシステム。
【請求項１６】
Ｉ／Ｏカードにアクセスする方法であって、
実質的にコンピュータシャーシ内部にある、プロセッサアセンブリに近接した後退位置から、コンピュータシャーシ内部から少なくとも部分的に引出された、プロセッサアセンブリから離れた延長位置まで、Ｉ／Ｏモジュールが接続されるプロセッサアセンブリに対してＩ／Ｏモジュールを摺動させるステップと、
Ｉ／Ｏモジュールのピボット部分を、Ｉ／Ｏモジュールの挿入軸に実質的に位置合せされた後退位置から挿入軸に対してある角度で配向された延長位置の方へ、Ｉ／Ｏモジュールの本体部分に対して軸中心に回転させるステップと、
Ｉ／Ｏモジュールのピボット部分のＩ／Ｏカードにアクセスするステップとを含む、方法。
【請求項１７】
Ｉ／Ｏモジュールが延長位置の方へ自由に引出されるようにするために、Ｉ／Ｏモジュールとコンピュータシャーシとを結合する留具を係合解除するステップをさらに含む、請求項１６に記載の方法。
【請求項１８】
ピボット部分が延長位置の方へ自由に軸中心に回転するようにするために、Ｉ／Ｏモジュールの本体部分とＩ／Ｏモジュールのピボット部分とを結合する留具を係合解除するステップをさらに含む、請求項１６に記載の方法。
【請求項１９】
前記摺動させるステップは、コンピュータシャーシに対する、Ｉ／Ｏモジュールの挿入軸に沿った、Ｉ／Ｏモジュールの摺動を容易にするために、ガイドレールレシーバに対してガイドレールを摺動させるステップを含む、請求項１６に記載の方法。
【請求項２０】
Ｉ／Ｏモジュールがコンピュータシャーシに対して摺動され得るように、電磁エネルギ遮蔽部をＩ／Ｏモジュールに対して動かすステップをさらに含む、請求項１６に記載の方法。
【請求項２１】
Ｉ／Ｏモジュール内部にアクセスする方法であって、
実質的にコンピュータシャーシ内部にある、モジュールが接続されたプロセッサアセンブリに近接した後退位置から、コンピュータシャーシ内部から少なくとも部分的に引出された、プロセッサアセンブリから離れた延長位置まで、挿入軸に沿ってＩ／Ｏモジュールを摺動させるステップと、
Ｉ／Ｏモジュールのピボット部分を、挿入軸に実質的に位置合せされた後退位置から挿入軸に対してある角度で配向された延長位置まで、モジュールの本体部分に対して軸中心に回転させるステップとを含み、それによりＩ／Ｏモジュールのピボット部分の１つまたは複数のカードを軸中心に回転させ、かつそれにより１つまたは複数のカードにアクセスを与える、方法。
【国際調査報告】
2006520961.tif 000012
2006520961.tif 000013
2006520961.tif 000014
2006520961.tif 000015
2006520961.tif 000016